(57)【要約】　　　（修正有）【課題】素材の高品質の回収と回収素材の用途の拡大とおよび回収費用の低減を図ることができる、付着物を除去する装置を提供する。【解決手段】セラミックスや金属またはプラスチックを素材とする対象物１から、該対象物の表面に付着した付着物７，８を除去するための装置であって、付着物が付着している対象物の面側に近接して面配置した複数の研削工具３からなる研削具と、付着物が付着していない対象物の面側に近接して配置した壁体２とによって、対象物が通過できるように通路構造体６を形成し、該研削具と該壁体を支持体４に固定して研削ユニット５を構成し、さらに、該通路構成体の概略横手方向から複数の該研削ユニットを振動機で振動させて対象物を自由運動させ、付着物が付着した対象物の表面を該研削具と擦り合わせることによって、対象物の一部とともに対象物の表面の付着物を除去する。【選択図】　図１
2004106159.tif 000002
【特許請求の範囲】
【請求項１】
対象物から付着物を除去する装置であって、
ａ）　対象物の付着物が付着している面側に近接して複数の研削工具を面配置した研削具と、
ｂ）　対象物の付着物が付着していない面側に近接して配置した複数の壁体と、
ｃ）　該壁体と該研削具によって対象物が通過できるように形成した通路構造体と
ｄ）　該研削具と該壁体を支持体に固定した研削ユニットと、
ｅ）　該通路構造体の概略横手方向から、複数の研削ユニットを面回転運動させる振動機、とからなり、
該機構が、対象物の一部とともに対象物の表面の付着物を除去することを特徴とした付着物を除去するための装置。
【発明の詳細な説明】
【０００１】
【発明の属する分野】
本発明は、例えばセラミックスや金属またはプラスチックを素材とする形成体に付着した文字や絵模様装飾やラベルや汚れなどの付着物を除去するための装置に関する。
【０００２】
【従来の技術】
飲料用および化粧品の容器や電子機器のハウジング等のセラミックスや金属またはプラスチックを素材とする形成体の付着物を除去する従来方法に、付着物が付着した形成体を、せん断粉砕機により粉砕しその混合物を風力分離または比重分離する技術、加圧水または過熱蒸気によって剥離する技術、容器を固定刃とロータで押圧して変形せしめ回転する回転刃によってラベル等の不純物を剥ぎ取る技術等が知られている。
【０００３】
【発明が解決しようとする課題】
しかしながら、付着物が付着した形成体を、せん断粉砕機により粉砕しその混合物を風力分離または比重分離する技術では、素材と分離した付着物の空気抵抗や比重が素材と似ている場合には除去ができないという問題点があり、また、加圧水または過熱蒸気によって剥離する技術では、焼き付けまたは熱転写された文字や絵模様を素材と分離できないという問題点があり、さらに、容器を押圧変形して回転刃でラベル等の付着物を剥ぎ取る技術では、押圧変形すると破砕する対象物に付着した付着物を分離除去できないないという問題点がある。さらに、これらの技術によって回収した素材の品質は原素材の品質と比べ非常に低いものとなり、そのために低級な用途にしか再利用できず、回収率を上げられないという問題点がある。
【０００４】この発明は、以上のような問題点に鑑みてなされたものであり、品質の高い素材の回収と回収素材の用途の拡大とおよび回収費用の低減を図ることができる、付着物を除去する装置を提供することを目的とする。
【０００５】
【課題を解決ための手段】上記目的を達成するための手段として、セラミックスや金属またはプラスチックを素材とする対象物から、該対象物の表面に付着した付着物を除去するための装置であって、付着物が付着している対象物の面側に近接して面配置した複数の研削工具からなる研削具と、付着物が付着していない対象物の面側に近接して配置した複数の壁体とによって、対象物が通過できるように通路構造体を形成し、該研削具と該壁体を支持体に一体的に固定して研削ユニットを構成し、さらに、該通路構成体の概略横手方向から複数の該研削ユニットを振動機で振動させて対象物を自由運動させ、付着物が付着した対象物の表面を該研削具と擦り合わせることによって、対象物の一部とともに対象物の表面の付着物を除去するようにしたことにある。
【０００６】
【発明の実施の形態】以下、この発明の実施形態を図面に基づいて説明する。図１乃至図４に示すように、この実施形態に係わる対象物に付着した付着物を除去するための装置は、硬質プラスチックを素材とするたとえば使い捨てライターの燃料容器から、付着物である粘着ラベルと熱転写装飾模様および汚れなどを同時に除去する装置である。図１は、対象物１に対する本発明の壁体２と研削具３と、これらを一体として固定した支持体４とからなる研削ユニット５におけるそれらの配置構造を示す平面図である。図１において、支持台４の上に固定されて、対象物１の外側に壁体２と複数の研削具３で通路構造体６が形成されている。本実施形態において、付着物Ａ７および付着物Ｂ８が対象物の面Ａ及び面Ｂに付着しており、したがって、対象物の面Ａおよび面Ｂに近接して複数の研削具３を該通路構造体６に面配置してある。
【０００７】
図２は、図１における研削ユニット５のＡＡ’面の平面図である。図２において、複数のリング鑢９をシャフト１０に束ねて一体として研削具３とし、さらに、シャフト１０は壁体２とともに支持体４と支持板１１に固定してある。支持体４と支持板１１はとめ具１２で連結し固定してある。対象物１が、壁体２と研削具４で形成する研削ユニット５の通路構造体６の入り口Ｃから連続投入され出口Ｄから出てゆく間に、振動によって研削具３が接触した対象物の一部の面を付着物とともに除去するが、該研削具３が配置していない面側はそのままで除去しない。
【０００８】
本発明は、研削ユニット５を多段に接続し、研削ユニット５全体の研削具３でもって、付着物の全体の面を除去するようにするものである。より詳しく説明すると、図３に示すように、各研削ユニット５における研削具３をそれぞれ異なる配置とし、付着物の全体の面を除去するようにするものである。すなはち、図３において、図１における研削具３の配置を第１番目の研削ユニット（実線で示す）の場合、付着面をｘミリメートルの巾で除去できるとすると、第２番目の研削ユニットは、研削具３をそれぞれｘミリメートルずつずらした位置（破線で示す）に配列し、さらに、第３の研削ユニットではさらにｘミリメートルずらして配列するというようにして、付着面全体を除去できる研削ユニット５を多段に重ねている。したがって、研削具３のすべてをもって対象物の付着面をすべて除去する結果となる。
【０００９】図４は、本発明の一実施の形態の全体構成を示す構成図である。図４において、本発明の研削ユニット５を多段に重ねて振動台１３に固定して搭載し、該振動台１３を連結機１４で振動機１５と連結している。付着物の付着した対象物１は、搬入機１６により該研削ユニット５の入り口Ｃから連続して挿入され、付着物の除去された対象物１を出口Ｄから取り出し機１７で取り出すようにしてある。さらに、該取り出し機１７で取り出された対象物１は、除去された付着物などとともにホッパー部１８に移動する。該ホッパー部１８の出口に対象物の取り出し具１９が備えられており、回収箱２０に収められる。一方、除去された付着物は、ダクト２１を介して集塵機２２に捕集される。
【００１０】本実施形態で用いた研削具３にリング鑢を用いたが、本発明はリング鑢に限定されるものではなく、砥石および／または研磨テープおよび／または研磨布紙および／または研磨ベルトなどの固定砥粒工具などを用いてもよい。
【００１１】さらに、本実施の形態では、壁体２と研削具３は同一の支持体４に固定され、そのため振動の周期と振幅はまったく同じである。しかしながら、本発明の他の実施の形態では、壁体２と研削具３は分離された異なる支持体にそれぞれ研削ユニットおよび壁体ユニットとして分離して固定し、かつ、該研削ユニットおよび該壁体ユニットそれぞれを、周期や振幅または位相差（たとえば、概略１８０度）の異なって振動させる複数の振動機で構成してもよい。このようにすると、周期や振幅の差異または位相差によって、壁体２と研削具３の相対運動の時間変動が発生し、それによって、対象物１から付着物をより好ましく除去することができる。
【００１２】また、本実施の形態では、壁体２と研削具３は同一の支持体４に固定され、そのため振動の周期と振幅はまったく同じである。しかしながら、本発明のさらに他の実施の形態では、円形断面の対象物の付着物を除去できるように、壁体２と研削具３は分離された異なる支持体にそれぞれ研削ユニットおよび壁体ユニットとして分離して固定し、かつ、対象物１を壁体ユニットに固定装置で固定し、さらに、該研削具ユニットのみを振動機で振動させるようにすることもできる。
【００１３】
【発明の効果】上記説明したように、本発明に係わる付着物を除去するための装置は、さまざまな形の対象物から、その表面に付着した粘着ラベルおよび／または焼き入れたり熱転写された文字や装飾を同時に、かつ、対象物の素材の一部とともに除去するため、対象物の素材とまったく同じ品質の素材を回収することができる。さらに、素材の一部とともに付着物を削り取るので、粘着ラベルのような粘着剤は、削り取った素材に付着し除去され、そのため、粘着剤による研削具と壁体の汚れを防止できるという効果がある。さらに、本発明の付着物を除去するための装置は、対象物の素材とまったく同じ品質の素材が回収するので、対象物の原料として回収でき、さらに他の高品質製品の原料にも利用できるようになり、廃棄物の高度再利用を実現するという効果がある。
【図面の簡単な説明】
【図１】本発明の研削ユニットの略図構成を示す平面図。
【図２】図１のＡＡ‘断面の正面図。
【図３】一実施形態の研削具の配置関係を説明する説明図。
【図４】一実施形態の研削ユニットの全体構成を示す構成図。
【符号の説明】
１…対象物、２…壁体、３…研削具、４…支持体、５…研削ユニット、
６…通路構造体、７、８…付着物、９…リング鑢、１０…シャフト、
１１…支持板、１２…とめ具、１３…プラットフォーム、１４…連結端、
１５…振動機、１６…搬入機、１７…取り出し機、１８…ホッパー、
１９…取り出し具、２０…回収箱、２１…ダクト、２２…集塵機
【図１】
2004106159.tif 000003
【図２】
2004106159.tif 000004
【図３】
2004106159.tif 000005
【図４】
2004106159.tif 000006